(57)【要約】【課題】  細かい箇所の拭き取りが容易且つ衛生的に行える吸水用品を提供する。【解決手段】  把手部４を一体的に備えたポリウレタンフォーム等の復元力を有する芯材３にパルプや綿等の吸水性を有するシート５を被覆して吸水体２を構成し、同吸水体２をポリエチレン等の非通気性の包装材６内に収容し、同包装材６内を真空にして大気圧で外側から加圧して吸水体２の芯材３の体積を縮減させた状態で包装材６を封止し、包装材６を開封して大気圧の加圧を解圧して吸水体２の芯材３を復元力で元の形に復元させて吸水に使用できるようにした。【選択図】図１
2006239056.tif 000002
【特許請求の範囲】
【請求項１】
復元力を有する吸水性の素材で吸水体を構成し、同吸水体を非通気性の包装材に収容し、同包装材内を真空にして大気圧で外側から加圧して吸水体の体積を縮減させた状態で包装材を封止し、包装材を開封して大気圧の加圧を解圧して吸水体を復元力で元の形に復元させて吸水に使用できるようにした、吸水用品。
【請求項２】
吸水体の後部に把手部を吸水体と同じ素材で一体的に形成し、同把手部を吸水体とともに体積を縮減させて包装材内に収容するようにした請求項１記載の吸水用品。
【請求項３】
復元力を有する芯材に吸水性のシートを被覆して吸水体を構成し、同吸水体を非通気性の包装材に収容し、同包装材内を真空にして大気圧で外側から加圧して吸水体の芯材の体積を縮減させた状態で包装材を封止し、包装材を開封して大気圧の加圧を解圧して吸水体の芯材を復元力で元の形に復元させて吸水に使用できるようにした、吸水用品。
【請求項４】
吸水体の芯材の後部に把手部を芯材と同じ素材で一体的に形成し、同把手部を芯材とともに体積を縮減させて包装材内に収容するようにした請求項３記載の吸水用品。
【請求項５】
吸水体の後部に別体の把手部材を取り付け、同把手部材を吸水体とともに包装材内に収容するようにした請求項１又は３記載の吸水用品。
【請求項６】
吸水体の後部に脱着自在に取り付ける別体の把手部材を備え、包装材を開封して元の形に復元させた吸水体の後部に把手部材を後付けして使用できるようにした請求項１又は３記載の吸水用品。
【請求項７】
包装材の縁部に開封用の切れ目を形成して包装材を開封し易くした請求項１〜６いずれか記載の吸水用品。
【請求項８】
包装材の外周にテープ状物を固着し、同テープ状物の一端を包装材の外周に沿って引張して包装材を破断して開封できるようにした請求項１〜６いずれか記載の吸水用品。
【請求項９】
包装材の吸水体先端部分に強度を弱くして破断し易くする破断ラインを形成し、包装材に小孔を形成して空気を導入する穿孔手段を備え、導入した空気による吸水体の復元力で包装材を破断ラインで破断させて開封できるようにした請求項１〜６いずれか記載の吸水用品。
【請求項１０】
包装材に複数の吸水体をそれぞれ独立して収容し、収容した各吸水体間の包装材部分に切り離し用のミシン目を形成した請求項１〜９いずれか記載の吸水用品。
【請求項１１】
復元力を有する吸水性の素材で吸水体を構成し、同吸水体を非加圧状態の吸水体の外径より小さい内径の筒状の加圧殻体内に体積を縮減させた状態で収容し、筒体の後方から吸水体を押し出して加圧殻体の加圧を解圧して吸水体を復元力で元の形に復元させて吸水に使用できるようにした、吸水用品。
【請求項１２】
復元力を有する芯材に吸水性のシートを被覆して吸水体を構成し、同吸水体を非加圧状態の吸水体の外径より小さい内径の筒状の加圧殻体内に芯材の体積を縮減させた状態で収容し、筒体の後方から吸水体を押し出して加圧殻体の加圧を解圧して吸水体の芯材を復元力で元の形に復元させて吸水に使用できるようにした、吸水用品。
【請求項１３】
加圧殻体が長尺に構成されたもので、同加圧殻体に複数の吸水体を直列に収容し、加圧殻体の後部に最後尾の吸水体を押圧する押圧具を設け、同押圧具で最後尾の吸水体を押圧して前方の吸水体から順に加圧殻体先端から押し出して使用できるようにした請求項１１又は１２記載の吸水用品。
【発明の詳細な説明】
【技術分野】
【０００１】
本発明は、止血や消毒、薬剤の塗布等に用いられる吸水用品に関する。
【背景技術】
【０００２】
従来、例えば医療分野において臓器の止血等は、トロンビンを含ませたガーゼ又はゼラチンシートを出血部に置く、もしくは付着させ、指先で圧迫を加える方法が一般的である。しかし、このようなものは平面的な形状であるから細かい箇所の拭き取りがやりにくく、特に手術等で止血に用いる場合は目的の場所に圧力を加えにくく皮膚や粘膜等を傷つけることがあった。
【特許文献１】実用新案登録第３０５１６０８号公報
【発明の開示】
【発明が解決しようとする課題】
【０００３】
本発明が解決しようとする課題は、従来のこれらの問題点を解消し、細かい箇所の拭き取りが容易に行える吸水用品を提供することにある。
【課題を解決するための手段】
【０００４】
かかる課題を解決した本発明の構成は、
１）  復元力を有する吸水性の素材で吸水体を構成し、同吸水体を非通気性の包装材に収容し、同包装材内を真空にして大気圧で外側から加圧して吸水体の体積を縮減させた状態で包装材を封止し、包装材を開封して大気圧の加圧を解圧して吸水体を復元力で元の形に復元させて吸水に使用できるようにした、吸水用品
２）  吸水体の後部に把手部を吸水体と同じ素材で一体的に形成し、同把手部を吸水体とともに体積を縮減させて包装材内に収容するようにした前記１）記載の吸水用品
３）  復元力を有する芯材に吸水性のシートを被覆して吸水体を構成し、同吸水体を非通気性の包装材に収容し、同包装材内を真空にして大気圧で外側から加圧して吸水体の芯材の体積を縮減させた状態で包装材を封止し、包装材を開封して大気圧の加圧を解圧して吸水体の芯材を復元力で元の形に復元させて吸水に使用できるようにした、吸水用品
４）  吸水体の芯材の後部に把手部を芯材と同じ素材で一体的に形成し、同把手部を芯材とともに体積を縮減させて包装材内に収容するようにした前記３）記載の吸水用品
５）  吸水体の後部に別体の把手部材を取り付け、同把手部材を吸水体とともに包装材内に収容するようにした前記１）又は３）記載の吸水用品
６）  吸水体の後部に脱着自在に取り付ける別体の把手部材を備え、包装材を開封して元の形に復元させた吸水体の後部に把手部材を後付けして使用できるようにした前記１）又は３）記載の吸水用品
７）  包装材の縁部に開封用の切れ目を形成して包装材を開封し易くした前記１）〜６）いずれか記載の吸水用品
８）  包装材の外周にテープ状物を固着し、同テープ状物の一端を包装材の外周に沿って引張して包装材を破断して開封できるようにした前記１）〜６）いずれか記載の吸水用品
９）  包装材の吸水体先端部分に強度を弱くして破断し易くする破断ラインを形成し、包装材に小孔を形成して空気を導入する穿孔手段を備え、導入した空気による吸水体の復元力で包装材を破断ラインで破断させて開封できるようにした前記１）〜６）いずれか記載の吸水用品
１０）  包装材に複数の吸水体をそれぞれ独立して収容し、収容した各吸水体間の包装材部分に切り離し用のミシン目を形成した前記１）〜９）いずれか記載の吸水用品
１１）  復元力を有する吸水性の素材で吸水体を構成し、同吸水体を非加圧状態の吸水体の外径より小さい内径の筒状の加圧殻体内に体積を縮減させた状態で収容し、筒体の後方から吸水体を押し出して加圧殻体の加圧を解圧して吸水体を復元力で元の形に復元させて吸水に使用できるようにした、吸水用品
１２）  復元力を有する芯材に吸水性のシートを被覆して吸水体を構成し、同吸水体を非加圧状態の吸水体の外径より小さい内径の筒状の加圧殻体内に芯材の体積を縮減させた状態で収容し、筒体の後方から吸水体を押し出して加圧殻体の加圧を解圧して吸水体の芯材を復元力で元の形に復元させて吸水に使用できるようにした、吸水用品
１３）  加圧殻体が長尺に構成されたもので、同加圧殻体に複数の吸水体を直列に収容し、加圧殻体の後部に最後尾の吸水体を押圧する押圧具を設け、同押圧具で最後尾の吸水体を押圧して前方の吸水体から順に加圧殻体先端から押し出して使用できるようにした前記１１）又は１２）記載の吸水用品
にある。
【発明の効果】
【０００５】
綿球または外科領域で用いられるガーゼを糸で縫合してボール状に形成したものやティッシュを丸めたものは把持部がないためピンセット等でつかむ必要があり、しかも表面に凹凸が多いから粘膜上皮を傷つけやすい。しかし、本発明では表面が平滑であるため傷つけにくく、把持部を備えているから取り扱いが容易で拭き取りやすい。
【０００６】
インフルエンザの鼻汁，ＳＡＲＳの分泌物，はやり目の涙等をティッシュで拭くと、浸潤してきた液が指先に付着して伝染を拡大させる恐れがある。しかし、本発明では把持部を把持すれば感染性の分泌物に触れずに拭き取ることができ、また捨てるときも濡れて変形したティッシュより捨てやすい。
【０００７】
手袋をした手で布等を用いて酸・アルカリ・毒物等を拭き取る場合も、断続的な作業時に浸潤した液が手袋に付着して揮発成分で低濃度曝露を受ける場合があるが、本発明では把持部を有しており、先端の頭部で吸い取るため上記のようなことが生じにくい。
【０００８】
また、本発明の吸水体は加圧により体積を縮減させた状態で包装材に密封しているから、使用時まで場所をとらずに容易且つ衛生的に保管・運搬ができる。
【発明を実施するための最良の形態】
【０００９】
本発明の吸水体は、加圧変形後に解圧して復元できる素材で構成され、吸水体自身が吸水性を有するものはセルロースやポリウレタンフォーム等の連続気泡を有するものが用いられ、吸水性のシートを被覆する場合は吸水性を有しない独立気泡を有する一般的なスポンジ又はゴム等の弾性変形できる軟質素材あるいは中空状のものが用いられる。
【００１０】
シートとしてはパルプや綿等の吸水性を有し且つ繊維クズが出にくいものが望ましい。吸水体の形状としては球状が一般的であるが、その他細長状のものや傘状のもの等用途に応じて任意に形成される。以下、本発明の各実施例を図面に基づいて具体的に説明する。
【実施例１】
【００１１】
図１〜３に示す実施例１は、吸水体の把持部を芯材と同じ材料で一体的に形成し、包装材の縁部に開封用の切れ目を形成した吸水用品の例である。図１は実施例１の吸水用品の説明図、図２は図１のＡ−Ａ断面図、図３は実施例１の吸水体の一部切欠斜視図である。図中、１は吸水用品、２は吸水体、３は芯材、４は把手部、５はシート、６は包装材、６ａは切れ目である。
【００１２】
実施例１の吸水用品１は、図１，２に示すように芯材３は直径３０ｍｍで連続気泡を有する発泡ポリエチレンからなる球状に構成され、芯材３の後部には縮径した傘状の把手部４を芯材３と同じ材料で一体的に形成している。この芯材３の表面にパルプからなる吸水性のシート５を被覆して吸水体２を構成している。
【００１３】
この吸水体２を透明のポリエチレンからなる非通気性の包装材６に収容し、包装材６内を真空にして大気圧で外側から加圧し、吸水体２の芯材３と把手部４の体積を断面が薄い楕円状となるように縮減させた状態で包装材６を封止して密封し、包装材６の縁部の芯材３と把手部４の間の部分に開封用の切れ目６ａを両側から形成している。切れ目６ａは把手部４側に曲線状に形成し、開封後に切れ目６ａの縁部が丸く形成されるようにしている。
【００１４】
使用する際は、包装材６を切れ目６ａで開封して包装材６を取り除き、大気圧の加圧が解圧されて吸水体２の芯材３と把手部４が空気を吸引することで元の形に復元され、把手部４を把持して吸水用途に使用する。把手部４の部分の包装材６は取り除いて使用してもよいし、残したまま使用してもよい。残して使用する場合は切れ目６ａの縁部が丸く形成されているから、患部などの吸水すべき箇所を痛めることがない。
【００１５】
図４に示すのは実施例１の他の例である。図４は実施例１の他の例の吸水用品の説明図である。図中、６ｂはミシン目である。図４に示す実施例１の他の例は、長尺の包装材６に複数の吸水体２を所定間隔おいてそれぞれ独立させて密封し、各吸水体２間の包装材６部分に切り離し用のミシン目６ｂを形成している。使用する際は、ミシン目６ｂに沿って必要個数を切り離して使用される。その他、符号、構成は実施例１と同じである。
【実施例２】
【００１６】
図５，６に示す実施例２は、吸水体の芯材に別体の把手部材を取り付け、包装材の外周に破断用のテープ状物を固着した吸水用品の例である。図５は実施例２の吸水用品の説明図、図６は実施例２の吸水用品の開封を示す説明図である。図中、６ｃはテープ状物、７は把手部材である。
【００１７】
実施例２の吸水用品１は、図５に示すように吸水体２の芯材３の後部に硬質のプラスチックからなる別体の棒状の把手部材７を取り付け、把手部材７を取り付けた状態で吸水体２を包装材６に密封している。包装材６の外周には包装材６の材質より引張り強度を有する細長のテープ状物６ｃを溶着してその一端を露出させている。使用する際は、図６（ａ），（ｂ）に示すようにテープ状物６ｃの一端を包装材６の外周に沿って引張しながら包装材６をテープ状物６ｃの跡に沿って破断することで開封する。その他、符号、構成は実施例１と同じである。
【実施例３】
【００１８】
図７，８に示す実施例３は、吸水体の芯材の後部に脱着自在に取り付ける把手部材を別途用意し、開封後の吸水体に後付けして使用できるようにした吸水用品の例である。図７は実施例３の吸水用品の説明図、図８は実施例３の吸水用品の使用状態を示す説明図である。図中、３ａは取付部、８は把手部材、８ａは開口部である。
【００１９】
実施例３の吸水用品１は、図７に示すように吸水体２は芯材３の後部に把手部材８を脱着自在に取り付けるために取付部３ａが突設されている。使用する際は、図８（ａ），（ｂ）に示すように開封して復元した吸水体２の取付部３ａに２つに分割可能なソケット状の把手部材８の開口部８ａに分割した状態で挿し込み、分割した把手部材８を元の状態に突き合わせて開口部８ａを取付部３ａに嵌合して固定する。使用後は把手部材８を２つに分割して取付部３ａから取り外して再利用する。その他、符号、構成は実施例１と同じである。
【実施例４】
【００２０】
図９に示す実施例４は、包装材に強度を弱くして破断し易くした破断ラインを形成し、吸水体の復元力により包装材を破断ラインで破断させて開封できるようにした吸水用品の例である。図９は実施例４の吸水用品の開封を示す説明図である。図中、６ｄは破断ライン、９は穿孔手段である針である。
【００２１】
実施例４の吸水用品１は、図９（ａ）に示すように包装材６の吸水体２先端部分に包装材６の厚みを薄くして強度を弱めて破断し易くした破断ライン６ｄを複数形成し、針９で包装材６の適当な箇所を穿孔して空気を導入すると、図９（ｂ）に示すように吸水体２が復元してその復元力による圧力で包装材６が破断ライン６ｄで破断して開封されるようにしている。その他、符号、構成は実施例１と同じである。
【実施例５】
【００２２】
図１０に示す実施例５は、吸水体をその外径より小さい内径の加圧殻体内に圧縮して収容し、後方から押し出して復元させて使用できるようにした吸水用品の例である。図１０は実施例５の吸水用品の使用状態を示す説明図である。図中、１０は加圧殻体である。
【００２３】
実施例５の吸水用品１は、図１０（ａ）に示すように吸水体２の非加圧状態の外径より小さい内径の硬質プラスチックからなる筒状の加圧殻体１０内に吸水体２を圧縮させた状態で収容し、図１０（ｂ）に示すように把手部材７で吸水体２を後方から押圧しながら加圧殻体１０の先端から吸水体２を押し出して元の形に復元させて使用できるようにしている。その他、符号、構成は実施例１と同じである。
【００２４】
図１１に示すのは実施例５の他の例である。図１１は実施例５の他の例の吸水用品の説明図である。図中、１１は受部材、１２は押圧具である。図１１に示す吸水用品１は、加圧殻体１０を長尺に形成して複数の吸水体２を直列に収容し、各吸水体２の後部には硬質プラスチックからなる受部材１１を固着している。加圧殻体１０の後方から押圧具１２で最後尾の吸水体２を押圧し、前方の吸水体２から順に加圧殻体１０の先端から押し出して元の形に復元させて使用できるようにしている。その他、符号、構成は実施例５と同じである。
【産業上の利用可能性】
【００２５】
本発明の吸水用品は、止血，消毒，虫さされの薬の塗布，皮膚・スキンケア（アトピー性皮膚炎等の病気を治す薬剤），日やけ止め，絵画用（水彩・油絵・アクリル画など），トイレ・風呂掃除・浴室カビ取り，メガネ・カメラ・コンピュータディスプレイの汚れ取り（界面活性剤入りアルコール），化粧落としに有用である。
【図面の簡単な説明】
【００２６】
【図１】実施例１の吸水用品の説明図である。
【図２】図１のＡ−Ａ断面図である。
【図３】実施例１の吸水体の一部切欠斜視図である。
【図４】実施例１の他の例の吸水用品の説明図である。
【図５】実施例２の吸水用品の説明図である。
【図６】実施例２の吸水用品の開封を示す説明図である。
【図７】実施例３の吸水用品の説明図である。
【図８】実施例３の吸水用品の使用状態を示す説明図である。
【図９】実施例４の吸水用品の開封を示す説明図である。
【図１０】実施例５の吸水用品の使用状態を示す説明図である。
【図１１】実施例５の他の例の吸水用品の説明図である。
【符号の説明】
【００２７】
１  吸水用品
２  吸水体
３  芯材
３ａ  取付部
４  把手部
５  シート
６  包装材
６ａ  切れ目
６ｂ  ミシン目
６ｃ  テープ状物
６ｄ  破断ライン
７，８  把手部材
８ａ  開口部
９  穿孔手段
１０  加圧殻体
１１  受部材
１２  押圧具
【図１】
2006239056.tif 000003
【図２】
2006239056.tif 000004
【図３】
2006239056.tif 000005
【図４】
2006239056.tif 000006
【図５】
2006239056.tif 000007
【図６】
2006239056.tif 000008
【図７】
2006239056.tif 000009
【図８】
2006239056.tif 000010
【図９】
2006239056.tif 000011
【図１０】
2006239056.tif 000012
【図１１】
2006239056.tif 000013